(57)【要約】      （修正有）【課題】様々な形態のコンセントに対応可能なプラグ装置を提供する。【解決手段】本体部には、所定の間隔で配置された２本の刃３１，３２を有する第１の差し込み部３０と、１本の刃４１を有する第２の差し込み部４０とが設けられる。給電用の第１の差し込み部は、本体部に対して回動自在に設けられ、アース用の第２の差し込み部は、本体部に対して給電用の第１の差し込み部と独立して回動自在に設けられる。【選択図】図１
0003186128.tif 000002
【実用新案登録請求の範囲】
【請求項１】
所定の間隔で配置された２本の刃を有する第１の差し込み部と、
１本の刃を有する第２の差し込み部と、
前記第１の差し込み部と、前記第２の差し込み部とが設けられた本体部と、
を備え、
前記第１の差し込み部は、前記本体部に対して回動自在に設けられ、
前記第２の差し込み部は、前記本体部に対して前記第１の差し込み部と独立して回動自在に設けられる
ことを特徴とするプラグ装置。
【請求項２】
請求項１に記載のプラグ装置であって、
前記本体部は、対向する２つの面である正面および背面を有し、
前記第１の差し込み部は、前記２本の刃が前記正面又は前記背面（以下、第１の面という）と略平行かつ前記第１の面と重なる第１の位置と、前記２本の刃が前記第１の面に対して直立する第２の位置と、前記２本の刃が前記第１の面と略平行かつ前記２本の刃の先端が前記第１の面の輪郭から突出する第３の位置と、の間で回動自在であり、
前記第２の差し込み部は、前記１本の刃が前記第１の面と略平行かつ前記第１の面と重なる第４の位置と、前記１本の刃が前記第１の面に対して直立する第５の位置と、の間で回動自在である
ことを特徴とするプラグ装置。
【請求項３】
請求項２に記載のプラグ装置であって、
前記本体部の前記第１の面には、前記第１の差し込み部が前記第１の位置にあり、かつ前記第２の差し込み部が第４の位置にあるときに、前記第１の差し込み部及び前記第２の差し込み部が収容される凹部が形成される
ことを特徴とするプラグ装置。
【請求項４】
請求項２又は３に記載のプラグ装置であって、
前記第１の差し込み部が前記第１の位置にあり、かつ前記第２の差し込み部が第４の位置にあるときに、前記１本の刃は前記２本の刃の間に収容される
ことを特徴とするプラグ装置。
【請求項５】
請求項１から４のいずれか一項に記載のプラグ装置であって、
前記本体部の側面には、少なくとも所定の間隔で配置された２本の刃が挿しこみ可能な差し込み口と、外部機器と接続するための外部接続端子と、が形成される
ことを特徴とするプラグ装置。
【考案の詳細な説明】
【技術分野】
【０００１】
本考案は、プラグ装置に関する。
【背景技術】
【０００２】
特許文献１には、給電用の端子と、この端子の近傍に設けられたアース端子とを突出させた回動体を備えた電気製品用プラグ装置が開示されている。
【先行技術文献】
【特許文献】
【０００３】
【特許文献１】特開２０００−１２１４３号公報
【考案の概要】
【考案が解決しようとする課題】
【０００４】
しかしながら、特許文献１に記載の考案では、給電用の端子と、アース端子とが常に一体回動するため、アース端子がないコンセントには対応できないという問題がある。
本考案はこのような事情に鑑みてなされたもので、様々な形態のコンセントに対応可能なプラグ装置を提供することを目的とする。
【課題を解決するための手段】
【０００５】
上記課題を解決するために、本考案に係るプラグ装置は、例えば、所定の間隔で配置された２本の刃を有する第１の差し込み部と、１本の刃を有する第２の差し込み部と、前記第１の差し込み部と、前記第２の差し込み部とが設けられた本体部と、を備え、前記第１の差し込み部は、前記本体部に対して回動自在に設けられ、前記第２の差し込み部は、前記本体部に対して前記第１の差し込み部と独立して回動自在に設けられることを特徴とする。
【０００６】
本考案に係るプラグ装置によれば、２本の刃を有する第１の差し込み部と、１本の刃を有する第２の差し込み部とは、それぞれ独立して回動可能である。これにより、様々な形態のコンセントに対応することができる。
【０００７】
ここで、前記本体部は、対向する２つの面である正面および背面を有し、前記第１の差し込み部は、前記２本の刃が前記正面又は前記背面（以下、第１の面という）と略平行かつ前記第１の面と重なる第１の位置と、前記２本の刃が前記第１の面に対して直立する第２の位置と、前記２本の刃が前記第１の面と略平行かつ前記２本の刃の先端が前記第１の面の輪郭から突出する第３の位置と、の間で回動自在であり、前記第２の差し込み部は、前記１本の刃が前記第１の面と略平行かつ前記第１の面と重なる第４の位置と、前記１本の刃が前記第１の面に対して直立する第５の位置と、の間で回動自在であってもよい。これにより、より使い勝手を良くすることができる。
【０００８】
ここで、前記本体部の前記第１の面には、前記第１の差し込み部が前記第１の位置にあり、かつ前記第２の差し込み部が第４の位置にあるときに、前記第１の差し込み部及び前記第２の差し込み部が収容される凹部が形成されてもよい。これにより、携帯性及び安全性を高めることができる。
【０００９】
ここで、前記第１の差し込み部が前記第１の位置にあり、かつ前記第２の差し込み部が第４の位置にあるときに、前記１本の刃は前記２本の刃の間に収容されてもよい。これにより、省スペース化することができる。
【００１０】
ここで、本体部の側面には、少なくとも所定の間隔で配置された２本の刃が挿しこみ可能な差し込み口と、外部機器と接続するための外部接続端子と、が形成されてもよい。これにより、拡張性を高くすることができる。
【考案の効果】
【００１１】
本考案によれば、様々な形態のコンセントに対応可能なプラグ装置を提供することができる。
【図面の簡単な説明】
【００１２】
【図１】本考案の一例であるプラグ装置１の斜視図であり、（Ａ）は底面側から見た斜視図であり、（Ｂ）は側面側から見た斜視図である。
【図２】プラグ装置１の給電用差し込み部のみを使用する状態を示す斜視図であり、（Ａ）は給電用差し込み部を９０°回動させた状態を示し、（Ｂ）は給電用差し込み部を１８０°回動させた状態を示す。
【図３】プラグ装置１の給電用差し込み部及び接地極差し込み部を使用する状態を示す斜視図である。
【考案を実施するための形態】
【００１３】
以下、本考案の実施形態を、図面を参照して詳細に説明する。
図１は、本考案の一例であるプラグ装置１の未使用状態を示す側面図である。プラグ装置１は、図１に示すように、主として、第１のケース１０と、第２のケース２０と、給電用差し込み部３０と、接地極差し込み部４０と、外部接続端子５０と、差し込み口６０とを有している。
【００１４】
第１のケース１０及び第２のケース２０は、底面が略長方形で、断面が略コの字形状である。第１のケース１０の底面である背面と第２のケース２０の底面である正面とが対向する状態で、第１のケース１０の開口部と第２のケース２０の開口部とを連結し、第１のケース１０と第２のケース２０とを固定することで、本体部が構成される。
【００１５】
本体部は、背面及び正面が略長方形の中空の略直方体となるように形成される。本体部の内部には、図示しない端子、コード等が設けられる。なお、略長方形、略直方体というのは、厳密な長方形、直方体に限らず、角が丸くなっている等の厳密な長方形、直方体以外の形状を含む概念である。
【００１６】
なお、本実施の形態では、本体部は略直方体であるが、本体部の形状はこれに限られない。例えば、本体部の背面及び正面は略長方形に限られず、円形でもよい。また、本体部は直角柱でもよいし斜角柱でもよい。
【００１７】
また、本実施の形態では、第１のケース１０の底面を本体部の背面とし、第２のケース２０の底面を本体部の正面としたが、便宜上このように定義しただけである。例えば、第１のケース１０の底面を本体部の正面とし、第２のケース２０の底面を本体部の背面としてもよい。
【００１８】
本体部には、給電用差し込み部３０と接地極差し込み部４０とが、それぞれ回動自在に設けられる。給電用差し込み部３０と接地極差し込み部４０とは、独立して回動可能である。
【００１９】
給電用差し込み部３０は、板状の２本の刃３１、３２と、２本の刃が保持される保持部３３と、を有する。給電用差し込み部３０は、保持部３３に設けられた図示しない軸が、第１のケース１０に設けられた図示しない軸受に軸支されることで、第１のケース１０（すなわち、本体部）に対して回動自在に設けられる。
【００２０】
保持部３３に設けられた図示しない軸及び第１のケース１０に設けられた図示しない軸受の少なくとも一方には、図示しないクリック機構が設けられる。これにより、板状の２本の刃３１、３２が９０°、１８０°回動された状態で停止保持するためことができる（後に詳述）。クリック機構は、すでに公知の様々な機構を用いることができる。
【００２１】
接地極差し込み部４０は、円柱状の刃４１と、刃が保持される保持部４２とを有する。接地極差し込み部４０は、保持部４２に設けられた図示しない軸が、第１のケース１０から突出するように形成されたリブ１１に設けられた図示しない軸受に軸支されることで、第１のケース１０（すなわち、本体部）に対して回動自在に設けられる。
【００２２】
保持部４２に設けられた図示しない軸及びリブ１１に設けられた図示しない軸受の少なくとも一方には、図示しないクリック機構が設けられる。これにより、刃４１が９０°回動された状態で停止保持するためことができる（後に詳述）。クリック機構は、すでに公知の様々な機構を用いることができる。
【００２３】
給電用差し込み部３０及び接地極差し込み部４０は、２本の刃３１、３２及び刃４１が背面の長辺と略平行に設けられる。これにより、背面、すなわち本体部の大きさを小さくすることができる。ここで、略平行とは、平行及び平行から少しずれた場合を含む概念である。
【００２４】
なお、給電用差し込み部３０及び接地極差し込み部４０を、２本の刃３１、３２及び刃４１が背面の長辺と略平行に設けることは必須ではない。
【００２５】
給電用差し込み部３０及び接地極差し込み部４０は、図１に示す未使用時には、第１のケース１０に形成された凹部１２に収容される。これにより、未使用時に給電用差し込み部３０及び接地極差し込み部４０が本体部から突出せず、携帯性及び安全性を高めることができる。また、図１に示す未使用時に、刃４１が２本の刃３１、３２の間に収容されるため、省スペース化することができる。
【００２６】
凹部１２は、略Ｌ字形状に形成されている。凹部１２のうちの未使用時に給電用差し込み部３０及び接地極差し込み部４０が収容されない部分は、使用時に使用者が給電用差し込み部３０及び接地極差し込み部４０を回動させるための指掛け部として機能する。
【００２７】
なお、給電用差し込み部３０及び接地極差し込み部４０が、未使用時に凹部１２に収容されることは必須ではない。例えば、本体部の背面を平らに形成し、背面に沿って給電用差し込み部３０及び接地極差し込み部４０が設けられていてもよい。
【００２８】
本実施の形態では、２本の刃３１、３２は、通電極であり、１本の刃４１は接地極である。２本の刃３１、３２のみを用いる場合には、タイプＡ（NEMA 1-15又はJIS C 8303 クラスIIに対応）のコンセントに対応する。２本の刃３１、３２及び刃４１を用いる場合には、タイプＢ（NEMA 5-15、NEMA 5-20又はJIS C 8303 クラスIに対応）のコンセントに対応する。
【００２９】
なお、本実施の形態では、２本の刃３１、３２は板状であるが、円柱状でもよい。２本の刃が円柱の場合には、２本の刃のみを用いる場合にはタイプＣ（ユーロプラグ等）、タイプＥ（CEE 7/5に対応）、タイプＦ（CEE 7/4に対応）等に対応し、２本の刃及び刃４１を用いる場合にはタイプＤ（BS 546に対応）、タイプＨ（SI 32に対応）等に対応する。
【００３０】
さらに、２本の刃３１、３２は、本体部の任意の辺に平行でなくてもよく、例えば略ハの字形状でもよいし、斜めかつ平行でもよい。
また、刃４１についても、円柱状に限定されるものではない。
【００３１】
本体部の側面には、携帯電話、タブレット端末等の携帯端末や、デジタルカメラ等の電気機器を含む外部機器と接続するための外部接続端子５０と、少なくとも所定の間隔で配置された２本の刃が挿しこみ可能な差し込み口６０とが設けられる。これにより、外部機器と接続したり、プラグ形状を変換したりすることができる。外部接続端子５０及び差し込み口６０は、すでに公知であるため説明を省略する。
【００３２】
本実施の形態では、外部接続端子５０と差し込み口６０とは、それぞれ、異なる面に１個ずつ設けられたが、外部接続端子５０及び差し込み口６０の配設位置及び配設数はこれに限定されるものではない。複数設けることで、さらに拡張性を高くすることができる。
【００３３】
このように構成されたプラグ装置１の作用について、図２及び図３を用いて説明する。まず、給電用差し込み部３０のみを使用する場合について説明する。図２は、給電用差し込み部３０のみを使用する場合を示す。
【００３４】
図１に示す未使用時の状態は、給電用差し込み部３０が、２本の刃３１、３２が背面と平行かつ背面に重なって凹部１２に収納された位置である第１の位置にある状態である。給電用差し込み部３０が第１の位置から９０°回動されると、図２（Ａ）に示す状態となる。
【００３５】
図２（Ａ）に示す状態は、給電用差し込み部３０が、２本の刃３１、３２が背面に対して直立する位置である第２の位置にある状態である。給電用差し込み部３０が第２の位置から９０°回動される（第１の位置から１８０°回動される）と、図２（Ｂ）に示す状態となる。
【００３６】
給電用差し込み部３０が第２の位置にあるときに、例えば、２本の刃３１、３２を壁面に設けられたタイプＡのコンセントに差し込むと、本体部の背面又は正面と壁面とが平行になる。このように、給電用差し込み部３０が第２の位置にある場合とは、壁面のコンセントを使用するときに使い勝手がよい場合である。
【００３７】
図２（Ｂ）に示す状態は、給電用差し込み部３０が、２本の刃３１、３２が背面と平行で、かつ２本の刃３１、３２の先端が第１のケース１０の輪郭から突出する位置である第３の位置にある状態である。
【００３８】
給電用差し込み部３０が第３の位置にあるときに、例えば、２本の刃３１、３２を延長コードの先端に設けられた三つ又ソケットに差し込むと、他のソケットと本体部とが重ならないため、他のソケットを使用することができる。また、給電用差し込み部３０が第２の位置にある場合には、壁面のコンセントに設けられた三つ又ソケットに２本の刃３１、３２を挿しこむことができない場合があるのに対し、給電用差し込み部３０が第３の位置にある場合には、壁面のコンセントに設けられた三つ又ソケットのどの位置にも２本の刃３１、３２を挿しこむことができる。
【００３９】
つぎに、給電用差し込み部３０及び接地極差し込み部４０を使用する場合について、図３を用いて説明する。
【００４０】
図２（Ａ）に示す状態では、接地極差し込み部４０が、刃４１が背面と平行かつ背面に重なって凹部１２に収納された位置である第４の位置にある状態である。接地極差し込み部４０が、第４の位置から９０°回動されると、図３に示す状態となる。
【００４１】
図３に示す状態は、接地極差し込み部４０が、刃４１が背面に対して直立する位置である第５の位置にある状態である。
【００４２】
接地極差し込み部４０が第５の位置にある場合には、給電用差し込み部３０及び接地極差し込み部４０が背面から突出している。したがって、２本の刃３１、３２及び刃４１を、例えば壁面に設けられたタイプＢのコンセントに差し込むことができる。
【００４３】
本実施の形態によれば、様々な形態のコンセントに対応可能なプラグ装置を提供することができる。また、特定のコンセントに対しては、様々な場所や様々な形態のコンセントに対応することができる。
【００４４】
以上、この考案の実施形態を、図面を参照して詳述してきたが、具体的な構成はこの実施形態に限られるものではなく、この考案の要旨を逸脱しない範囲の設計変更等も含まれる。
【符号の説明】
【００４５】
１：プラグ装置、１０：第１のケース、１１：リブ、１２：凹部、２０：第２のケース、３０：給電用差し込み部、３１：刃、３３：保持部、４０：接地極差し込み部、４１：刃、４２：保持部、５０：外部接続端子、６０：差し込み口
【図１】
0003186128.tif 000003
【図２】
0003186128.tif 000004
【図３】
0003186128.tif 000005